(57)【要約】【課題】遊技機に設けられる部品の配置およびサイズの選択の自由度を向上させる。【解決手段】パチンコ遊技機１は、遊技球を払い出す球払出装置１７０と、遊技球を供給する第１補給通路１４０から供給される遊技球を球払出装置１７０に流入させる第２補給通路１６０と、第１補給通路１４０と第２補給通路１６０とを接続する接続部１５０とを含む。【選択図】図３
2014171504.tif 000002
【特許請求の範囲】
【請求項１】
遊技媒体を遊技領域に発射することにより遊技が行われる遊技機であって、
遊技媒体を払い出す遊技媒体払出装置と、
遊技媒体を供給する第１通路から供給される遊技媒体を前記遊技媒体払出装置に流入させる第２通路と、
前記第１通路と前記第２通路とを接続する接続部とを含む、遊技機。
【発明の詳細な説明】
【技術分野】
【０００１】
本発明は、パチンコ遊技機等の遊技機に関し、特に、遊技媒体を遊技領域に発射することにより遊技が行われる遊技機に関する。
【背景技術】
【０００２】
この種の遊技機として、たとえば、遊技機の外部に設けられる遊技機設置島設備から遊技球が補給されるものがあった。
【０００３】
たとえば、このような遊技機には、背面に遊技機設置島設備から補給される遊技球を貯留するタンクが設けられるものがあった（特許文献１）。
【先行技術文献】
【特許文献】
【０００４】
【特許文献１】特許第４４１７４８０号公報
【発明の概要】
【発明が解決しようとする課題】
【０００５】
しかし、前述した特許文献１のように、遊技球を貯留するタンクが遊技機の背面に設けられる場合には、遊技機の背面にタンクの搭載スペースを確保する必要があるため、遊技機の背面に設けられるその他の部品（たとえば、液晶表示装置）の配置およびサイズの選択の自由度を妨げるという問題があった。
【０００６】
本発明は、かかる実情に鑑み考え出されたものであり、その目的は、遊技機に設けられる部品の配置およびサイズの選択の自由度を向上させる遊技機を提供することである。
【課題を解決するための手段】
【０００７】
（１）遊技媒体（遊技球）を遊技領域（遊技盤６）に発射することにより遊技が行われる遊技機（パチンコ遊技機１）であって、
遊技媒体を払い出す遊技媒体払出装置（球払出装置１７０）と、
遊技媒体を供給する第１通路（第１補給通路１４０）から供給される遊技媒体を前記遊技媒体払出装置に流入させる第２通路（第２補給通路１６０）と、
前記第１通路と前記第２通路とを接続する接続部（接続部１５０）とを含む。
【０００８】
このような構成によれば、第１通路から遊技媒体払出装置までの間の遊技媒体の補給経路上に遊技媒体を貯留するタンクが設けられないので、タンクの搭載スペースを確保する必要がない。そのため、遊技機に設けられるタンク以外の部品の配置およびサイズの選択の自由度を向上させることができる。
【０００９】
（２）上記（１）の遊技機において、
矩形形状の外枠（外枠１００）と、
遊技盤（遊技盤６）が取り付けられ、前記外枠の一辺に沿う開放軸（開放軸１３０）を中心として開放可能に設けられる前枠（前枠１０１）とをさらに含み、
前記前枠を前記外枠に対して開放状態としたときに前記第２通路と前記接続部とが分離可能となるように、前記第２通路は前記前枠に取り付けられ、前記接続部は前記外枠に取り付けられている。
【００１０】
このような構成によれば、遊技機の前枠を外枠に対して開放したときに第２通路と接続部とが分離するので、第１通路から遊技媒体払出装置までの間の遊技媒体の補給経路上に設けられる通路の破損を防止することができる。
【００１１】
（３）上記（２）の遊技機において、
前記接続部には、前記第２通路から分離したときに前記接続部からの遊技媒体の流出を制限する流出制限部（流出制限機構１５１）が設けられる。
【００１２】
このような構成によれば、接続部に流出制限部が設けられるので、遊技機の前枠を外枠に対して開放したときに第２通路と接続部とが分離しても接続部からの遊技媒体の流出を制限することができる。そのため、遊技媒体が散らばることを防止することができる。
【００１３】
（４）上記（３）の遊技機において
前記接続部には、前記前枠の前記開放軸から離れる方向に向けて開口する開口部（開口部１５０ｂ）が形成され、
前記開口部には、前記第１通路の一方端が接続される。
【００１４】
このような構成によれば、接続部には、前枠の開放軸から離れる方向に向けて開口する開口部が形成されるので、前枠を開放した状態でも前枠に阻害されることなく、第１通路の一方端を開口部に組み付けることができる。そのため、開口部への第１通路の一方端の組み付けが容易になる。
【図面の簡単な説明】
【００１５】
【図１】本発明が適用されたパチンコ遊技機１の正面図である。
【図２】前枠１０１を開放した状態を示すパチンコ遊技機１の斜視図である。
【図３】前枠１０１を開放した状態を示すパチンコ遊技機１の正面図である。
【図４】接続部１５０と第２補給通路１６０とが接続された状態を外枠１００の背面側から見た拡大図である。
【図５】図４の状態の部分を斜め上方から見た斜視図である。
【図６】流出制限機構１５１の本体部材１５１ａの構成を示す図である。
【図７】第２補給通路１６０の構成を示す図である。
【図８】第２補給通路１６０に設けられる突起部１６４の断面を示す図である。
【図９】前枠１０１が開放されるときの接続部１５０と第２補給通路との位置関係を説明するための図である。
【図１０】流出制限機構１５１の構成の変形例を示す図である。
【発明を実施するための形態】
【００１６】
以下、本発明の一実施形態を図面を参照して説明する。なお、遊技機の一例としてパチンコ遊技機を示すが、本発明はパチンコ遊技機に限られず、コイン遊技機等のその他の遊技機であってもよく、遊技媒体を遊技領域に発射することにより遊技が行われる遊技機であれば、どのような遊技機であってもよい。
【００１７】
まず、本発明にかかる遊技機の一例であるパチンコ遊技機の全体の構成について説明する。図１はパチンコ遊技機１を正面からみた正面図である。なお、以下の説明において、図１の手前側をパチンコ遊技機の前面（表面）側、奥側を背面（裏面）側として説明する。なお、本実施の形態におけるパチンコ遊技機１の前面（表面）とは、遊技者側からパチンコ遊技機１を見たときに該遊技者と対向する対向面である。
【００１８】
〔パチンコ遊技機の構造〕
図１は、本発明が適用されたパチンコ遊技機およびカードユニットを示す正面図である。パチンコ遊技機１は、遊技場（遊技店）に設置される。遊技場内にはパチンコ遊技機１等の遊技機が複数台並べて配置されている遊技機設置島が複数設けられており、パチンコ遊技機１は、そのような遊技機設置島に設置される。
【００１９】
パチンコ遊技機１は、縦長の方形状（矩形形状）に形成された外枠１００（図２参照）と、外枠１００に開閉可能に取付けられた前枠（前面枠）１０１（図２参照）とで主に構成されている。前枠１０１の前面には、ガラス扉枠１０２および上皿扉枠１０３がそれぞれ一側を中心に開閉可能に設けられているとともに、下皿枠１０４が取付けられている。
【００２０】
図１に示すように、ガラス扉枠１０２の下方に取付けられた上皿扉枠１０３の前面には、遊技媒体（遊技球）としてのパチンコ球（打球）を遊技球として貯留可能な打球供給皿（上皿とも言う）３が、パチンコ遊技機１の前面（表面）側に向けて突出（膨出）するように設けてある。打球供給皿３は、打球発射装置（図示せず）に遊技球を供給する。打球発射装置は、遊技球を打撃するためのアーム状の打球槌を発射モータにより動作させることにより遊技球を弾発発射する発射装置である。
【００２１】
打球供給皿３の下方には、打球供給皿３から溢れた遊技球を貯留する余剰球受皿４（下皿とも言う）が、パチンコ遊技機１の前面（表面）側に向けて突出（膨出）するように設けてあるとともに、その側方には、遊技球を発射するときに操作する打球操作ハンドル（操作ノブ）５が設けられている。打球発射装置は、打球操作ハンドル５の操作に応じて発射モータを駆動する制御が行なわれることにより、遊技球を発射する。ガラス扉枠１０２の背面には、前枠１０１に対して着脱可能に取付けられた遊技盤６が配置されている。なお、遊技盤６は、それを構成する板状体と、その板状体に取付けられた種々の部品とを含む構造体である。また、遊技盤６の前面には遊技領域７が形成されている。打球発射装置により発射された遊技球（打球）は、遊技領域７に打出される。
【００２２】
遊技領域７の中央付近には、それぞれが演出用の飾り図柄を変動表示する複数の変動表示領域を含む変動表示装置（飾り図柄表示装置）９が設けられている。変動表示装置９は、液晶表示装置を用いた画像表示装置である。変動表示装置９の上部には、各々を識別可能な複数種類の識別情報としての特別図柄を変動表示する小型の表示部である特別図柄表示器（特別図柄表示装置）８が設けられている。変動表示装置９には、たとえば「左」、「中」、「右」の３つの変動表示領域（図柄表示エリア）がある。変動表示装置９は、特別図柄表示器８による特別図柄の変動表示期間中に、装飾用（演出用）の図柄であって、各々を識別可能な複数種類の識別情報としての飾り図柄の変動表示を行なう。変動表示装置９は、演出制御基板に搭載されている演出制御用マイクロコンピュータ（いずれも図示せず）によって制御される。特別図柄表示器８は表示部が小型であるので、変動表示の態様および変動表示の表示結果が変動表示装置９と比べて見づらいため、遊技者は主として変動表示装置９の方に注目する。
【００２３】
特別図柄表示器８は、たとえば０〜９の数字を変動表示可能な簡易で小型の表示器（たとえば７セグメントＬＥＤ）で実現されている。特別図柄表示器８は、遊技者に当りの種類を把握しづらくさせるために、０〜９９等、より多種類の数字を変動表示するように構成されていてもよい。また、変動表示装置９は、液晶表示装置よりなる画像表示装置で実現されている。変動表示装置９は、特別図柄表示器８による特別図柄の変動表示期間中に、飾り図柄の変動表示を行なう。
【００２４】
なお、本実施の形態においては、変動表示装置９は、液晶表示装置を用いた例について説明するが、これに限らず、変動表示装置９は、ＣＲＴ（Cathode Ray Tube）、ＦＥＤ（Field Emission Display）、ＰＤＰ（Plasma Display Panel）、ドットマトリクス、７セグメントＬＥＤ等のＬＥＤ（Light Emitting Diode）、エレクトロルミネッセンス、蛍光表示管等のその他の画像表示式の表示装置により構成されてもよい。また、変動表示装置９は、回転ドラム式表示装置等の機械式の表示装置であってもよい。
【００２５】
変動表示装置９の下方には、遊技球を受入れ可能な入賞領域としての第１始動口１５ａおよび第２始動口１５ｂを有する始動入賞装置１５が設けられている。始動入賞装置１５では、上部に第１始動口１５ａが設けられ、その下部に第２始動口１５ｂが設けられている。第２始動口１５ｂの左右には、開閉動作をすることが可能な態様で一対の可動片１３，１３が設けられている。第１始動口１５ａは、上方を向いて開口しており、常に遊技球の進入（受入れ）が可能な状態となっている。一方、第２始動口１５ｂは、上方に第１始動口１５ａの周囲の構造物が設けられ、左右に可動片１３，１３が設けられているため、可動片１３，１３が閉状態であるときに遊技球の進入（受入れ）が不可能な状態となり、可動片１３，１３が開状態であるときに遊技球の進入（受入れ）が可能な状態となる。このように、第１始動口１５ａは入賞のしやすさが変化せず、第２始動口１５ｂは可動片１３，１３の開閉動作によって入賞のしやすさが変化する。
【００２６】
なお、始動入賞装置１５は、可動片１３，１３が閉状態になっている状態において、第２始動口１５ｂに入賞はしづらいものの、入賞することは可能である（すなわち、遊技球が入賞しにくい）ように構成されていてもよい。また、始動入賞装置１５は、始動口として、入賞のしやすさが変化しない第１始動口１５ａのみが設けられたものであってもよく、可動片１３，１３の開閉動作によって入賞のしやすさが変化する第２始動口１５ｂのみが設けられたものであってもよい。
【００２７】
始動入賞装置１５の可動片１３，１３は、後述する開放条件が成立したときに、ソレノイド１６によって駆動されることにより、閉状態から所定期間開状態とされた後、閉状態とされる。始動入賞装置１５の可動片１３，１３が開状態となることにより、遊技球が第２始動口１５ｂに入賞しやすくなり（始動入賞しやすくなり）、遊技者にとって有利な状態（第１の状態）となる。一方、始動入賞装置１５の可動片１３，１３が閉状態となることにより、遊技球が第２始動口１５ｂに入賞しなくなり（始動入賞しにくくなり）、遊技者にとって不利な状態（第２の状態）となる。第１始動口１５ａに入った入賞球は、遊技盤６の背面に導かれ、第１始動口スイッチ１４ａによって検出される。また、第２始動口１５ｂに入った入賞球は、遊技盤６の背面に導かれ、第２始動口スイッチ１４ｂによって検出される。
【００２８】
変動表示装置９の下部には、第１始動口スイッチ１４ａまたは第２始動口スイッチ１４ｂに入った有効入賞球の記憶数すなわち保留記憶（始動記憶または始動入賞記憶ともいう）数を表示する４つの特別図柄保留記憶表示器１８が設けられている。特別図柄保留記憶表示器１８は、保留記憶数を入賞順に４個まで表示する。特別図柄保留記憶表示器１８は、第１始動口１５ａまたは第２始動口１５ｂに始動入賞があるごとに、保留記憶の記憶データが１増えて、点灯状態のＬＥＤの数を１増やす。そして、特別図柄保留記憶表示器１８は、特別図柄表示器８で変動表示が開始されるごとに、保留記憶の記憶データが１減って、点灯状態のＬＥＤの数を１減らす（すなわち１つのＬＥＤを消灯する）。具体的には、特別図柄保留記憶表示器１８は、特別図柄表示器８で変動表示が開始されるごとに、点灯状態をシフトする。なお、この例では、第１始動口１５ａまたは第２始動口１５ｂへの入賞による保留記憶数に上限数（４個まで）が設けられている。しかし、これに限らず、保留記憶数の上限数は、４個以上の値にしてもよく、４個よりも少ない値にしてもよい。
【００２９】
始動入賞装置１５の下部には、ソレノイド２１によって開閉される開閉板を用いた特別可変入賞球装置２０が設けられている。特別可変入賞球装置２０は、開閉板によって開閉される大入賞口が設けられており、大当り遊技状態において開閉板が遊技者にとって有利な開状態（第１の状態）に制御され、大当り遊技状態以外の状態において開閉板が遊技者にとって不利な閉状態（第２の状態）に制御される。このように、特別可変入賞球装置２０は、大当り遊技状態となるときに開放条件が成立する。特別可変入賞球装置２０に入賞し遊技盤６の背面に導かれた入賞球のうち一方（Ｖ入賞領域：特別領域）に入った入賞球および他方の領域に入った遊技球は、そのままカウントスイッチ２３で検出される。遊技盤６の背面には、大入賞口内の経路を切換えるためのソレノイド（図示せず）も設けられている。
【００３０】
遊技球がゲート３２を通過しゲートスイッチ３２ａで検出されると、複数種類の識別情報としての普通図柄を変動表示する普通図柄表示器１０における変動表示が開始される。この実施の形態では、左右のＬＥＤ（点灯時に図柄が視認可能になる）が交互に点灯することによって変動表示が行なわれ、たとえば、変動表示の終了時に左側のＬＥＤが点灯すれば当りになる。そして、普通図柄表示器１０における停止図柄が所定の図柄（当り図柄）となったときに、始動入賞装置１５の可動片１３，１３の開放条件が成立し、始動入賞装置１５における可動片１３，１３が所定回数、所定時間だけ開状態になる。普通図柄表示器１０の近傍には、ゲート３２を通過した有効通過球の記憶数、すなわち、始動通過記憶数を表示する４つのＬＥＤによる表示部を有する普通図柄保留記憶表示器４１が設けられている。ゲート３２への遊技球の通過があるごとに、始動通過記憶の記憶データが１増えて、普通図柄保留記憶表示器４１は点灯するＬＥＤを１増やす。そして、普通図柄表示器１０における変動表示が開始されるごとに、始動通過記憶の記憶データが１減って、点灯するＬＥＤを１減らす。
【００３１】
遊技盤６には、遊技球を受入れて入賞を許容する入賞装置の入賞領域として、第１通常入賞口２９、第２通常入賞口３０、第３通常入賞口３３、および、第４通常入賞口３９よりなる複数の通常入賞口が設けられる。第１通常入賞口２９への遊技球の入賞は、第１入賞口スイッチ２９ａによって検出される。第２通常入賞口３０への遊技球の入賞は、第２入賞口スイッチ３０ａによって検出される。第３通常入賞口３３への遊技球の入賞は、第３入賞口スイッチ３３ａによって検出される。第４通常入賞口３９への遊技球の入賞は、第４入賞口スイッチ３９ａによって検出される。なお、第１始動口１５ａ、第２始動口１５ｂ、および、大入賞口も、遊技球を受入れて入賞を許容する入賞装置の入賞領域を構成する。また、遊技領域７の左右周辺には、遊技中に点滅表示される装飾ＬＥＤ２５が設けられ、下部には、入賞しなかった遊技球を回収するアウト口２６がある。
【００３２】
第１通常入賞口２９、第２通常入賞口３０、第３通常入賞口３３、および第４通常入賞口３９の少なくともいずれかに遊技球が入賞する場合には、１個の遊技球の入賞に対して所定数（たとえば、１０個）の賞球が球払出装置１７０（図３参照）から払い出される。同様に、第１始動口１５ａまたは第２始動口１５ｂに遊技球が入賞する場合には、１個の遊技球の入賞に対して所定数（たとえば、５個）の賞球が球払出装置１７０から払い出される。また、大入賞口に遊技球が入賞する場合にも、１個の遊技球の入賞に対して所定数（たとえば、１５個）の賞球が払い出される。
【００３３】
遊技領域７の外側の左右上部には、効果音を発する２つのスピーカ２７が設けられている。遊技領域７の外周には、天枠ＬＥＤが内蔵される天枠発光部２８Ｈと、左枠ＬＥＤが内蔵される左発光部２８Ｌおよび右枠ＬＥＤが内蔵される右発光部２８Ｒが設けられている。さらに、遊技領域７における各構造物（大入賞口等）の周囲には装飾ＬＥＤが設置されている。これら天枠ＬＥＤ、左枠ＬＥＤおよび右枠ＬＥＤおよび装飾用ＬＥＤは、パチンコ遊技機１に設けられている装飾発光体の一例である。左発光部２８Ｌおよび右発光部２８Ｒは、装飾を行なうために所定の発光パターンで発光させられる。
【００３４】
そして、この例では、左発光部２８Ｌの所定箇所に、賞球払出中に点灯する賞球ＬＥＤ５１が設けられ、右枠ＬＥＤの所定箇所に、補給球が切れたときに点灯する球切れＬＥＤ５２が設けられている。なお、本実施の形態では賞球ＬＥＤ５１および球切れＬＥＤ５２を左枠ＬＥＤや右枠ＬＥＤとは個別に設けていたが、左枠ＬＥＤや右枠ＬＥＤの発光態様を異ならせることにより賞球払出中である旨および補給球が切れた旨を報知するようにしてもよい。また、プリペイドカードが挿入されることによって球貸しを可能にするプリペイドカードユニット（以下、「カードユニット」という。）５０が、パチンコ遊技機１に隣接して設置されている。
【００３５】
上皿扉枠１０３の前面における打球供給皿３の左右側方には、上皿扉枠１０３の前面側における打球供給皿３の左右側方に設けられたＬＥＤにより発光する供給皿左発光部２００Ｌ，供給皿右発光部２００Ｒが設けられている。供給皿左発光部２００Ｌおよび供給皿右発光部２００Ｒは、たとえば、遊技状態に応じた演出を行なうため、および、異常状態を報知するために用いられる。打球供給皿３の前面には、打球供給皿３の内部に設けられた供給皿前ＬＥＤにより発光する供給皿前発光部２０１が横方向に細長く延在する態様で設けられている。具体的に、供給皿前発光部２０１は、打球供給皿３の前面において、最も前方に突出した位置において横方向に延びる領域に設けられている。供給皿前発光部２０１は、たとえば、遊技状態に応じた演出および装飾を行なうために用いられる。
【００３６】
余剰球受皿４の周縁上面には、余剰球受皿４の内部に設けられた受皿ＬＥＤにより発光する受皿発光部２０２が設けられている。受皿発光部２０２は、たとえば、遊技状態に応じた演出を行なうため、および、異常状態を報知するために用いられる。また、余剰球受皿４の左右側方には、内蔵されたＬＥＤにより発光する受皿左発光部２０３Ｌおよび受皿右発光部２０３Ｒが設けられている。受皿左発光部２０３Ｌおよび受皿右発光部２０３Ｒは、たとえば、異常状態を報知するために用いられる。
【００３７】
賞球ＬＥＤ５１、球切れＬＥＤ５２、装飾ＬＥＤ２５、天枠ＬＥＤ、左枠ＬＥＤ、右枠ＬＥＤ、供給皿左ＬＥＤ、供給皿右ＬＥＤ、供給皿左右外ＬＥＤ、供給皿前ＬＥＤ、受皿ＬＥＤ、受皿左ＬＥＤ、受皿右ＬＥＤ等の各種発光手段は、演出制御用マイクロコンピュータから出力されるシリアル信号に基づいて点灯制御（ＬＥＤ制御）される。また、スピーカ２７からの音発生制御（音制御）は、音声出力基板によって行なわれる。
【００３８】
カードユニット５０には、たとえば、使用可能状態であるか否かを示す使用可表示ランプ、連結台方向表示器、カード投入表示ランプ、および、カードユニット錠が設けられている。カード挿入口連結台方向表示器は、カードユニット５０がいずれの側のパチンコ遊技機１に対応しているのかを示す表示器である。カード投入表示ランプは、カードユニット５０内にカードが投入されていることを示すランプである。カード挿入口は、記録媒体としてのカードが挿入される開口部である。カードユニット錠は、カード挿入口の裏面に設けられているカードリーダライタの機構を点検する場合にカードユニット５０を解放するための錠である。
【００３９】
遊技者の操作により打球発射装置から発射された遊技球は、打球誘導レール１１７を通って遊技領域７に入り、その後、遊技領域７を下りてくる。遊技球が、第１始動口１５ａに入り第１始動口スイッチ１４ａで検出されるか、または、第２始動口１５ｂに入り第２始動口スイッチ１４ｂで検出されると、特別図柄の変動表示を開始できる状態であれば、特別図柄表示器８において特別図柄が変動表示を始める。特別図柄の変動表示を開始できる状態でなければ、保留記憶数を１増やす。
【００４０】
特別図柄表示器８における特別図柄の変動表示は、変動表示が行なわれるごとに設定された変動表示時間が経過したときに停止する。停止時の特別図柄（停止図柄）が特定表示結果としての大当り図柄（大当り表示結果ともいう）であると、大当りとなり、大当り遊技状態に移行する。大当り遊技状態においては、特別可変入賞球装置２０が、一定時間経過するまで、または、所定個数（たとえば１０個）の遊技球が入賞するまで開放する。そして、特別可変入賞球装置２０の開放中に遊技球がＶ入賞領域に入賞しカウントスイッチ２３で検出されると、継続権が発生し特別可変入賞球装置２０の開放が再度行なわれる。継続権の発生は、たとえば１５ラウンドのような所定回数を上限値として許容される。このような制御は、繰返し継続制御と呼ばれる。繰返し継続制御において、特別可変入賞球装置２０が開放されている状態がラウンドと呼ばれる。なお、Ｖ入賞領域を設けずに、各ラウンドにおいて無条件で継続権が発生するように制御してもよい。
【００４１】
停止時の特別図柄表示器８における特別図柄が大当り図柄のうちの予め定められた特別な大当り図柄（確変大当り図柄）である場合には、大当り遊技状態後に大当りとすると判定される確率（大当り確率）が、大当り遊技状態と異なる通常状態である通常遊技状態よりも高くなる確率変動状態（以下、確変状態と呼ぶ）という遊技者にとってさらに有利な状態になる。以下、確変状態は、高確率状態（高確状態と略称で呼ぶ場合もある）ともいう。また、非確変状態は、低確率状態（低確状態と略称で呼ぶ場合もある）ともいう。
【００４２】
また、特別図柄表示器８での変動表示の停止時における特別図柄の表示結果が、確変大当り図柄である場合には、大当り遊技状態後に変動時間短縮状態である時短状態に所定期間に亘り制御される。時短状態とは、通常遊技状態に比べて、特別図柄表示器８、変動表示装置９、および、普通図柄表示器１０のそれぞれの変動表示時間（変動開始時から表示結果の導出表示時までの時間）を短縮して早期に表示結果を導出表示させる制御状態をいう。さらに、時短状態中には、普通図柄表示器１０における停止図柄が当り図柄になる確率が高められるとともに、始動入賞装置１５の可動片１３，１３の開放時間が長くされ、開放回数が増加させられる。時短状態中では、図柄の変動表示時間が短縮されるので、後述する保留記憶数が早期に消化され、保留記憶数の上限（たとえば「４」）を超えて発生した始動入賞が無効になってしまう状態を減少でき、短期間に頻繁に表示結果を導出表示して早期に大当り表示結果を導出表示しやすくなるので、時間効率的な観点で変動表示の表示結果が大当り図柄の表示結果となりやすくなり、遊技者にとって有利な遊技状態となる。このように、確変大当りの場合は、大当り遊技状態の終了後の所定期間において、高確率状態かつ時短状態に制御されることとなる。大当り遊技状態の終了後の所定期間に亘る時短状態は、次の大当り遊技状態が発生するか、または、特別図柄および飾り図柄の変動表示が所定回数（１００回）行なわれるまでの、いずれか早い方の条件が成立するまで継続される。
【００４３】
また、入賞に応じた遊技球の払出しの面から考えると、時短状態は、非時短状態と比べて、普通図柄の変動表示時間が短縮され、普通図柄表示器１０における停止図柄が当り図柄になる確率が高められ、当り時における始動入賞装置１５の可動片１３，１３の開放時間が長くされ、当り時における始動入賞装置１５の可動片１３，１３の１度の開放回数が多くされることに基づいて、通常遊技状態と比べて始動入賞装置１５の可動片１３，１３が開放状態となりやすい。したがって、時短状態では、第２始動口１５ｂへの入賞（始動入賞が有効である場合と無効である場合との両方を含む）が生じやすくなるため、遊技領域７へ打込んだ遊技球数（打込球数）に対して、入賞に応じた賞球として払出される遊技球数（払出球数）の割合が、通常遊技状態と比べて多くなる。一般的に、発射球数に対する入賞による賞球の払出球数の割合は、「ベース」と呼ばれる。たとえば、１００球の打込球数に対して４０球の払出球数があったときには、ベースは４０（％）となる。この実施の形態の場合では、たとえば通常遊技状態のような非時短状態よりもベースが高い時短状態を高ベース状態と呼び、逆に、そのような高ベース状態と比べてベースが低い通常遊技状態のような非時短状態を低ベース状態と呼ぶ。
【００４４】
このように、発射球数に対する入賞による賞球の払出球数の割合が一般的に「ベース」と呼ばれるが、たとえば１分間等の単位時間における遊技球の最大発射数は、一定数に制限されている。このため、「ベース」は、単位時間において、遊技領域に設けられた複数の入賞口への入賞による賞球の払出球数の合計値によっても示すことができる。たとえば、単位時間における遊技球の最大発射数を１００球とすると、単位時間における入賞による賞球の払出球数の合計値は、一般的な「ベース」の値と一致することとなる。このような関連性に基づいて、本実施形態では、第１始動口１５ａ、第２始動口１５ｂ、第１通常入賞口２９、第２通常入賞口３０、第３通常入賞口３３、および、第４通常入賞口３９のそれぞれを異常監視対象入賞口としている。当該該異常監視対象入賞口の入賞による賞球の払出球数の合計値は、ベースと呼ばれ、入賞に関する異常監視の対象として用いられる。
【００４５】
確変状態（高確率状態）と非確変状態（低確率状態）とのどちらの状態であるかは、確変状態においてセットされるフラグである確変フラグがセットされているか否かに基づいて判断される。また、時短状態（高ベース状態）と非時短状態（低ベース状態）とのどちらの状態であるかは、時短状態においてセットされるフラグである時短フラグがセットされているか否かに基づいて判断される。
【００４６】
また、前述の時短状態に制御されていない状態においては、特別図柄の保留記憶数が所定個数以上となるごとに、特別図柄および飾り図柄の変動表示時間を短縮する記憶変動短縮状態に制御する記憶変動短縮制御が行なわれる。記憶変動短縮制御は、特別図柄の保留記憶数が所定個数未満となった段階で終了する。したがって、時短状態に制御されていない状態においても、特別図柄および飾り図柄の変動表示時間が短縮される場合がある。
【００４７】
変動表示装置９において変動表示される飾り図柄は、特別図柄表示器８における特別図柄の変動表示の装飾効果を高めるために、特別図柄の変動表示と所定の関係を有して変動表示される装飾的な意味合いがある図柄である。このような図柄についての所定の関係には、たとえば、特別図柄の変動表示が開始されたときに飾り図柄の変動表示が開始する関係、および、特別図柄の変動表示の終了時に特別図柄の表示結果が導出表示されるときに飾り図柄の表示結果が導出表示されて飾り図柄の変動表示が終了する関係等が含まれる。特別図柄表示器８により予め定められた大当り図柄が表示結果として導出表示されるときには、変動表示装置９により、左，中，右図柄がゾロ目となる大当り図柄の組合せが表示結果として導出表示される。このような特別図柄による大当り図柄の表示結果および飾り図柄による大当り図柄の組合せの表示結果は、大当り表示結果という。
【００４８】
特別図柄表示器８と変動表示装置９とは変動表示結果が前述したような対応関係になるため、以下の説明においては、これらをまとめて変動表示部と呼ぶ場合がある。
【００４９】
次に、リーチ表示態様（リーチ）について説明する。本実施形態におけるリーチ表示態様（リーチ）とは、停止した図柄が大当り図柄の一部を構成しているときに未だ停止していない図柄については変動表示が行なわれていること、および、すべてまたは一部の図柄が大当り図柄のすべてまたは一部を構成しながら同期して変動表示している状態である。
【００５０】
たとえば、変動表示装置９において、図柄が停止することで大当りとなる有効ライン（本実施の形態の場合は横１本の有効ライン）が予め定められ、その有効ライン上の一部の表示領域に予め定められた図柄が停止しているときに未だ停止していない有効ライン上の表示領域において変動表示が行なわれている状態（たとえば、変動表示装置９における左，中，右の変動表示領域のうち左，右の表示領域に同一の図柄が停止表示されている状態で中の表示領域は未だ変動表示が行なわれている状態）、および、有効ライン上の表示領域のすべてまたは一部の図柄が大当り図柄のすべてまたは一部を構成しながら同期して変動表示している状態（たとえば、変動表示装置９における左，中，右の表示領域のすべてに変動表示が行なわれており、常に同一の図柄が揃っている状態で変動表示が行なわれている状態）をリーチ表示態様またはリーチという。
【００５１】
また、リーチの際に、通常と異なる演出がＬＥＤや音で行なわれることがある。この演出をリーチ演出という。また、リーチの際に、キャラクタ（人物等を模した演出表示であり、図柄（飾り図柄等）とは異なるもの）を表示させたり、変動表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００５２】
また、変動表示装置９については、大当りを発生させる契機となる変動表示において、大当りとなることを報知する予告演出である大当り予告が行なわれる場合がある。
【００５３】
この実施の形態の場合は、大当りとして、通常大当りおよび確変大当りというような複数種類の大当りが設けられている。以下の説明においては、大当りの種類を特定せずに単に「大当り」と示すときは、これら複数種類の大当りを代表して示す場合である。
【００５４】
通常大当りは、大当り遊技状態の終了後に確変状態にならず、かつ、時短状態にならないことにより、低確率状態、かつ、低ベース状態となる大当り（非確変大当り）である。このような、低確率状態かつ低ベース状態となった状態は、低確低ベース状態と呼ばれる。確変大当りは、大当り遊技状態の終了後に確変状態になり、かつ、所定期間に亘り時短状態になる高確率状態、かつ、高ベース状態となる大当りである。このような、高確率状態かつ高ベース状態となった状態は、高確高ベース状態と呼ばれる。確変大当りとなった後においては、所定期間が経過すると時短状態が終了し、高確率状態、かつ、低ベース状態になる。このような、高確率状態かつ低ベース状態となった状態は、高確低ベース状態と呼ばれる。
【００５５】
また、変動表示装置９については、大当りを発生させる契機となる変動表示において、大当りとなることを報知する予告演出である大当り予告が行なわれる場合がある。
【００５６】
図２は、パチンコ遊技機１の前枠１０１およびガラス扉１０２と、上皿扉枠１０３とを開放した状態を示す斜視図である。
【００５７】
パチンコ遊技機１は、図２に示されるように、複数のパチンコ遊技機１を並設可能な図示しない遊技機設置島に固設される縦長の方形状（矩形形状）をなす外枠１００と、外枠１００の一側を中心に開閉可能に取付けられた前枠１０１とから主に構成されている。これらのうち外枠１００は木材により構成され、前枠１０１は合成樹脂材により構成されている。
【００５８】
前枠１０１の前面には、ガラス扉枠１０２およびその下方に配置される上皿扉枠１０３が一側を中心にそれぞれ開閉可能に設けられている。上皿扉枠１０３の下方には、下皿枠１０４が取付けられている。ガラス扉枠１０２の中央には、閉状態において遊技盤６の表面に形成された遊技領域７の前方を被覆するとともに、該遊技領域７を遊技者側から透視可能とする略円形の透視窓１１０が設けられている。
【００５９】
上皿扉枠１０３は、前面に前述した打球供給皿３が取付けられているとともに、ガラス扉枠１０２を開放することにより開放可能となるように構成されている。打球供給皿３の上流側端部には、前枠１０１の裏側に設けられ、各種入賞領域への入賞球に応じた賞球またはカードユニット５０での球貸操作に応じた貸球を払出す球払出装置１７０（図３参照）から払出される遊技球を受入れ可能とする払出口１１２が形成されているとともに、打球供給皿３に待機（貯留）している待機球を前枠１０１の背面に形成された後述する余剰球誘導通路に流出させて余剰球受皿４に返却するための球抜き口１１３が内部に形成されている。また、打球供給皿３の下流側端部には、打球供給皿３に待機している待機球を、打球発射装置により打出される発射位置に誘導する待機球誘導口１１９が形成されている。なお、打球供給皿３の内部構造については後述する。
【００６０】
カードユニット５０は、遊技者からプリペイドカードを受付けて、パチンコ遊技機１に設けられた球貸ボタンの操作に応じて、プリペイドカードに記録されたプリペイドデータで示される価値のうちから所定額相当（たとえば、５００円相当）の価値を減算して、減算した価値に見合った遊技球を払出すことを指示する球貸操作信号をパチンコ遊技機１に送信する。
【００６１】
カードユニット５０から球貸操作信号を受けると、パチンコ遊技機１の払出制御部（図示せず）は、当該球貸操作信号に応じて球払出装置１７０を駆動して貸球を打球供給皿に払出す。
【００６２】
また、カードユニット５０は、遊技者から現金を受付けると、プリペイドカードに受付けた現金で示される価値を追加記録する。カードユニット５０は、パチンコ遊技機１に設けられた返却ボタンの操作に応じて、プリペイドカードを排出する。
【００６３】
下皿枠１０４は、前枠１０１の前面下部に取付けられており、その前面には、余剰球受皿４および打球操作ハンドル５が取付けられている。また、余剰球受皿４の配設位置には、後述する余剰球誘導通路を流下してきた遊技球が返却される返却口１２０が形成されている。
【００６４】
前枠１０１は、前述した遊技盤６を背面側から取付け保持可能に構成されているとともに、該遊技盤６の前面に形成された遊技領域７を前面側から視認可能とするための略円形の遊技用開口１１４が略中央に形成されている。
【００６５】
上皿扉枠１０３の閉状態において前記払出口１１２に対向する箇所には、該払出口１１２に連通する払出連通口１１２ａが形成されている。また、払出連通口１１２ａの下方には、上皿扉枠１０３が開放されたときに払出口１１２から賞球を回収して余剰球誘導通路１３０に流出させて余剰球受皿４に返却するための賞球返却通路に連通する賞球返却口１１３ａが形成されている。また、賞球返却口１１３ａの近傍には、ファール球を前枠１０１の背面側に形成される余剰球誘導通路１３０に流出させるためのファール球口１１６が形成されている。また、ファール球口１１６のさらに側方には、打球供給皿３から球抜き口１１３を介して流出された待機球を前枠１０１の背面側に形成される余剰球誘導通路１３０に流出させるための球抜き連通口１０６が形成されている。
【００６６】
前枠１０１の前面における遊技用開口１１４の下方には、打球発射装置により打出される遊技球（打球）を遊技領域７に向けて誘導する打球誘導レール１１７（図１参照）が設けられる。また、打球誘導レール１１７の途中には、打球発射装置により打出されたものの遊技領域７に到達することなく戻ってきたファール球を前述したファール球口１１６に誘導して回収するファール球誘導通路１１８が形成されており、該ファール球は、ファール球口１１６を介して背面側の余剰球誘導通路１３０に流出された後、余剰球受皿４に返却されるようになっている。また、このファール球誘導通路１１８近傍には、打球供給皿３から球抜き口１１３を介して流出された待機球を球抜き連通口１０６に誘導する球抜き誘導通路（図示省略）が形成されており、これらファール球および待機球はファール球口１１６および球抜き連通口１０６に連通する誘導通路を介して余剰球誘導通路１３０に流出される。
【００６７】
図３は、前枠１０１を開放した状態を示すパチンコ遊技機１の正面図である。図３に示すように、前枠１０１は、外枠１００の一辺に沿う開放軸１３０を中心として開放可能に設けられる。前枠１０１は、外枠１００の内側に収まる矩形形状を有する。
【００６８】
この実施の形態においては、パチンコ遊技機１には、外部の遊技機設置島設備から球払出装置１７０に遊技球が補給される。具体的には、パチンコ遊技機１が設置された遊技場内において、各遊技機設置島の上方には、補給装置（図示せず）が設けられており、この補給装置の貯留タンク内に補給用の遊技球が貯留されている。補給装置の貯留タンクから補給樋（図示せず）を経由して複数のパチンコ遊技機１の各々に遊技球が供給される。補給樋からは管状の第１補給通路が分岐している。第１補給通路１４０の端部は、各パチンコ遊技機１に接続される。そのため、補給樋から流通する遊技球は、第１補給通路１４０、第２補給通路１６０を経由して球払出装置１７０に補給される。
【００６９】
接続部１５０は、外枠１００側に設けられ、第２補給通路１６０および球払出装置１７０が前枠１０１側に設けられる。これにより、前枠１０１が開放されるときに接続部１５０と第２補給通路１６０とが分離可能となる。
【００７０】
このパチンコ遊技機１においては、接続部１５０、第２補給通路１６０および球払出装置１７０以外にパチンコ遊技機１の背面側に突出する部品（たとえば、変動表示装置９である液晶表示装置）を搭載する搭載スペース１８０を大きく確保するため、パチンコ遊技機１の背面に遊技球を貯留するタンクを設けない構成としている。
【００７１】
外枠１００の上部１００ａの左右方向についての中央付近には、接続部１５０が取り付けられる。接続部１５０は、第１補給通路１４０と第２補給通路１６０とを接続する部材である。接続部１５０は、第１固定ブラケット（図４および５参照）を用いて外枠１００に固定される。
【００７２】
接続部１５０は、屈曲部を有するパイプ部材を含む。接続部１５０の一方端には、下方向に向けて開口する開口部１５０ａが形成され、接続部１５０の他方端には、開放軸１３０から離れる方向に向けて開口する開口部１５０ｂが形成される。接続部１５０の開口部１５０ａの下部には、流出制限機構１５１が設けられる。接続部１５０の開口部１５０ａには、第１補給通路１６０の端部が組み付けられる。接続部１５０の開口部１５０ａと第１補給通路１６０の端部とは、たとえば、開口部１５０ａに第１補給通路１６０の端部が差し込まれることによって接続されてもよいし、あるいは、接続部１５０の開口部１５０ａの内周部分（あるいは、外周部分）に第１補給通路１６０の端部の外周部分（あるいは、内周部分）を嵌合した後に、クランプ等を用いて嵌合部分を締め付けることによって接続状態を保持するようにしてもよい。
【００７３】
クランプは、たとえば、１つの棒状あるいは細長の板状の部材を環状に形成し、両端部につまみを設けるものであってもよい。この場合、たとえば、２つのつまみの相対位置を変化させる操作を行うことによって、クランプを構成する部材が撓み、クランプの内側の開口面積が拡大することで嵌合部分に取り付け可能となる。また、クランプは、当該操作が解除されることによって部材の撓みが解消し開口面積が元に戻り、嵌合部分を締め付ける。
【００７４】
あるいは、クランプは、１つの棒状あるいは細長の板状の部材をＣ字形状に形成し、両端部をボルトとナットとで締結されたものであってもよい。この場合、ボルトのナットへの締め付け量を調整することによってクランプの内側の開口面積が調整可能となる。
【００７５】
流出制限機構１５１は、前枠１０１を開放した状態となる場合に、接続部１５０の開口部１５０ａから外部への遊技球の流出を制限し、前枠１０１が閉じられた状態となる場合に、遊技球の流出の制限を解除する。流出制限機構１５１の詳細な構成および動作については後述する。
【００７６】
開口部１５０ｂには、第１補給通路１４０の一方端が接続される。第１補給通路１４０は、開口部１５０ｂから水平方向かつ開放軸１３０から離れる方向に沿って形成される通路部分と、外枠１００の上部１００ａに設けられた切り欠き部（第１補給通路１４０の外周の一部が嵌め入れられる形状の切り欠き部）の直下の位置で上方に屈曲する屈曲部分と、屈曲部分から切り欠き部を経由して遊技機設置島設備に接続される通路部分とを含む。
【００７７】
前枠１０１の背面（遊技盤６の裏面）には、第２補給通路１６０と、球払出装置１７０とが設けられる。第２補給通路１６０と、球払出装置１７０とは、前枠１０１の背面に設けられるその他の部品を搭載するための部品搭載スペース１８０の周囲に設けられる。なお、第２補給通路１６０または球払出装置１７０が、部品搭載スペース１８０内に設けられる部品よりも後方に設けられる場合には、背面側から見て部品搭載スペース１８０と重複する位置に設けられてもよい。前枠１０１の背面に設けられるその他の部品とは、たとえば、変動表示装置９を構成する液晶表示装置を含む。
【００７８】
球払出装置１７０は、前枠１０１の背面から見て、部品搭載スペース１８０の右側に配置される。第２補給通路１６０は、屈曲部を有する、断面が矩形形状の通路である。第２補給通路１６０の一方端には、上方向に開口する開口部１６０ａが形成される。第２補給通路１６０の他方端には、下方向に開口する開口部１６０ｂが形成される。開口部１６０ｂは、球払出装置１７０の遊技球の導入口と連通する。
【００７９】
第２補給通路１６０は、開口部１６０ａから水平方向かつ開放軸１３０に近づく方向に沿って形成される通路部分と、球払出装置１７０の直上の位置で下方向に屈曲する屈曲部分と、球払出装置１７０の遊技球の導入口まで下方向に沿って形成される通路部分とを含む。
【００８０】
第２補給通路１６０は、少なくとも内部に２５個以上の遊技球を含むような形状に形成されることが望ましい。一般的に遊技球の１回当たりの払出の個数の最大は、球貸し時の２５球である（賞球時の払出個数は、多くとも１５個である）。そのため、第２補給通路１６０を上述のように形成することにより１回分の遊技球の払出の個数を確保することができる。
【００８１】
前枠１０１が外枠１００の内側に収まるように閉じられたとき、接続部１５０と第２補給通路１６０との位置関係は、図３の破線に示す接続部１５０と図３の実線に示す第２補給通路１６０との位置関係となり、接続部１５０と第２補給通路１６０とが接続される。
【００８２】
より具体的には、前枠１０１が閉じられたときの接続部１５０と第２補給通路１６０との位置関係は、図４および図５に示される接続部１５０と第２補給通路１６０との位置関係となる。
【００８３】
図４は、接続部１５０と第２補給通路１６０とが接続された状態を外枠１００の背面側から見た拡大図である。図５は、図４の状態の部分を斜め上方から見た斜視図である。
【００８４】
図４および５に示すように、接続部１５０の開口部１５０ａには、流出制限機構１５１が接続される。接続部１５０と流出制限機構１５１との各々は、前枠１０１が閉じられた状態である場合に第２補給通路１６０に対する位置を固定するための板形状の固定部材１５２にボルト等の締結部材で固定される。
【００８５】
具体的には、接続部１５０の開口部１５０ａは、固定ブラケット１５８を用いて固定部材１５２に固定される。固定ブラケット１５８は、接続部１５０の一方端のパイプ部分の外周に沿った円弧形状の部分と、ボルト穴が形成される２つの鍔部分とを有する。２つの鍔部分が固定部材１５２にボルトを用いて締結されると、接続部１５０が固定ブラケット１５８と固定部材１５２とによって狭持される。そのため、固定ブラケット１５８と接続部１５０との位置は、固定ブラケット１５８と接続部１５０のパイプ部分との間、および固定部材１５２と接続部１５０のパイプ部分との間にそれぞれ生じる摩擦力により固定される。
【００８６】
流出制限機構１５１は、本体部材１５１ａおよび中継部材１５１ｂの各々の両端に設けられた、図４の奥側に貫通したボルト穴に通されたボルトを用いて固定部材１５２に固定される。このようにして、接続部１５０と流出制限機構１５１との位置が固定される。
【００８７】
第２補給通路１６０と前枠１０１との間には、前枠１０１が閉じられた状態である場合に固定部材１５２の所定方向への移動を制限する制限部材１６８が設けられる。
【００８８】
制限部材１６８には、固定部材１５２の下方向の移動を制限するベース部１６８ａと、固定部材１５２の前方向（パチンコ遊技機１の正面側）の移動を制限する第１壁部１６８ｂと、固定部材１５２の右方向（パチンコ遊技機１の背面から見て右方向）の移動を制限する第２壁部１６８ｃと、固定部材１５２の左方向の移動を制限する第３壁部１６８ｄとが設けられる。
【００８９】
接続部１５０の開口部１５０ｂ側には、固定ブラケット１５０ｃが取り付けられる。固定ブラケット１５０ｃは、接続部１５０を外枠１００に固定するためのブラケットであって、縦長の金属平板を曲げて形成される。
【００９０】
具体的には、固定ブラケット１５０ｃには、金属平板が接続部１５０のパイプ部分の外周に沿って曲げられた湾曲部が形成される。金属平板の一方端は、外枠１００の上部１００ａの板部分の側面（パチンコ遊技機１の背面側の側面）にボルト等の締結部材を用いて固定される。金属平板の他方端は、金属平板自体に固定される。金属平板の他方端が金属平板自体に固定されることによって金属平板と接続部１５０のパイプ部分との間に生じる摩擦力により固定ブラケット１５０ｃと接続部１５０との相対移動が制限される。
【００９１】
流出制限機構１５１は、内部にシャッター１５４を収納する本体部材１５１ａと、開口部１５０ａと本体部材１５１ａとの間に設けられ、開口部１５０ａと本体部材１５１ａとを接続する中継部材１５１ｂとを含む。図４および図５において、シャッター１５４は、本体部材１５１ａの内部に収納されるが、説明の便宜上、シャッター１５４の一部を記載している。以下の図面についても同様である。
【００９２】
本体部材１５１ａは、中空の箱形状に形成され、内部に長手方向（図４の左右方向）に移動可能なシャッター１５４が設けられる。中継部材１５１ｂには、鉛直方向に貫通した貫通穴が形成され、開口部１５０ａと本体部材１５１ａとを連通する。
【００９３】
図６に、下側から見た本体部材１５１ａの構造が示される。図６に示すように、本体部材１５１ａには、鉛直方向に貫通した貫通穴１５１ｃ，１５１ｄが長手方向に沿って形成される。貫通穴１５１ｃは、中継部材１５１ｂの貫通穴と連通するように形成される。貫通穴１５１ｃの大きさは、遊技球が通過可能な大きさである。貫通穴１５１ｄは、図５に示すように、前枠１０１が閉じられた状態において第２補給通路１６０に設けられる突起部１６４と一致する位置に形成される。本体部材１５１ａの長手方向の側面部には、円柱形状の突起部１５７が形成される。
【００９４】
図６に戻って、シャッター１５４は、板形状に形成され、鉛直方向に貫通した貫通穴１５４ａ，１５４ｂが長手方向に沿って形成される。貫通穴１５４ａは、開口部分が貫通穴１５１ｃの開口部分と重複するように形成される。貫通穴１５４ｂは、開口部分が貫通穴１５１ｄの開口部分と重複するように形成される。
【００９５】
シャッター１５４の長手方向の側面部には、本体部材１５１ａの外部に突出した円柱形状の突起部１５６が形成される。本体部材１５１ａの突起部１５７と、シャッター１５４の突起部１５６とは、ばね部材１５５によって連結される。
【００９６】
図６において、シャッター１５４は、ばね部材１５５の弾性力により図中右側へ移動した状態の初期位置にあることを示す。シャッター１５４の位置が初期位置である場合には、貫通穴１５４ａの開口部分と貫通穴１５１ｃの開口部分とが重複する面積が最小となる。当該面積による重複する部分の形状および大きさは、遊技球が通過不可能な形状または大きさになる。なお、シャッター１５４の位置が初期位置である場合に、貫通穴１５４ａの開口部分と貫通穴１５１ｃの開口部分とが重複しないようにしてもよい。前枠１０１が開放されている状態の場合には、シャッター１５４の位置が初期位置となり、流出制限機構１５１において遊技球の通過が不可能となるので、接続部１５０内の遊技球が流出制限機構１５１から外部に流出することが制限される。
【００９７】
一方、後述するように第２補給通路１６０に設けられた突起部１６４が貫通穴１５４ｂの開口部分と貫通穴１５１ｄの開口部分との重複する部分に挿入される場合には、シャッター１５４は、突起部１６４から受ける力によってばね部材１５５の弾性力に抗して図中左側に移動する。前枠１０１が閉じている状態において、シャッター１５４の初期位置からの移動量が最大となる。このとき、貫通穴１５４ａの開口部分と貫通穴１５１ｃの開口部分とが重複する面積が最大となる。当該面積による重複部分の大きさまたは形状は、遊技球の通過が可能な大きさまたは形状になる。そのため、前枠１０１が閉じている状態の場合には、流出制限機構１５１において遊技球の通過が可能となるので、流出制限機構１５１による遊技球の流出の制限が解除されることとなる。この場合において、接続部１５０の開口部１５０ｂと第２補給通路１６０の開口部１６０ａとが連通状態となり、遊技球が流量制限機構１５１によって制限されることなく流通可能になる。
【００９８】
図７に、第２補給通路１６０を構成を示す図である。図７に示すように、第２補給通路１６０は、前枠１０１の裏面に固定される制限部材１６８に隣接して形成される。
【００９９】
制限部材１６８は、ベース部１６８ａと、第１壁部１６８ｂと、第２壁部１６８ｃと、第３壁部１６８ｄとを含む。ベース部１６８ａと、第１壁部１６８ｂと、第２壁部１６８ｃと、第３壁部１６８ｄとは、一体的に形成される。
【０１００】
ベース部１６８ａは、前枠１０１が閉じられたときに、固定部材１５２の下方向の側面と接触した状態となる。そのため、ベース部１６８ａは、前枠１０１が閉じられたときに、固定部材１５２の下方向への移動を制限する。
【０１０１】
第１壁部１６８ｂは、前枠１０１が閉じられたときに、固定部材１５２の前方向（パチンコ遊技機１の正面側）の面に対向する位置関係となる。そのため、第１壁部１６８ｂは、前枠１０１が閉じられたときに、固定部材１５２の前側への移動を制限する。
【０１０２】
第２壁部１６８ｃおよび第３壁部１６８ｄは、前枠１０１が閉じられたときに、固定部材１５２の左右方向の側面とそれぞれ対向する位置関係となる。そのため、第２壁部１６８ｃおよび第３壁部１６８ｄは、前枠１０１が閉じられたときに、固定部材１５２の左右方向への移動を制限する。
【０１０３】
第２補給通路１６０の一方端には、上方向に開口する矩形形状の開口部１６０ａが形成される。第２補給通路１６０は、一方端からパチンコ遊技機１の背面から見て右側に、略水平方向に沿うように形成される。第２補給通路１６０の上部には、突起部１６４が設けられる。突起部１６４は、開口部１６０ａよりも他方端側の所定の位置に設けられる。所定の位置とは、前枠１０１が閉じられた状態である場合に、突起部１６４の位置が流出制限機構１５１の貫通穴１５１ｄの位置と一致する位置である。突起部１６４は、前枠１０１が閉じられたときに流出制限機構１５１のシャッター１５４を移動させるための部材である。
【０１０４】
図８は、第２補給通路１６０および第２通路１６０に設けられる突起部１６４の断面図である。突起部１６４は、図８の断面に示すように、第２補給通路１６０とは別体の部材である。突起部１６４は、三角錐の形状の部分と、当該三角錐の底面と同一円の底面を有する円柱形状の部分とが一体となった形状を有する。円柱形状の部分の底面中央部には、凹部１６４ａが形成される。
【０１０５】
第２補給通路１６０には、突起部１６４の上下方向の移動を可能とする円筒形状の凹部１６０ｃが形成される。凹部１６０ｃには、突起部１６４の上方向の移動量を所定量に制限するストッパー（図示せず）が設けられる。なお、ストッパーは、突起部１６４側に設けられてもよい。
【０１０６】
突起部１６４の凹部１６４ａの上面と第２補給通路１６０の凹部１６０ｃの底面との間には、ばね部材１６５が設けられる。ばね部材１６５は、突起部１６４の位置がストッパーによって上方向の移動が制限される位置で保持されるように弾性力を発生する。
【０１０７】
突起部１６４は、前枠１０１を閉じる動作中または前枠１０１を開放する動作中に流出制限機構１５１が通過する場合に流出制限機構１５１と突起部１６４とが接触したときに流出制限機構１５１からの反力によって下方向に押し下げられる。一方、突起部１６４は、前枠１０１が完全に閉じた状態あるいは開放した状態である場合には、ばね部材１６５の弾性力によって押し上がった状態になる。
【０１０８】
以上のような構成を有するパチンコ遊技機１において、たとえば、図９に示す状態から図５に示す状態のように前枠１０１が閉じられる場合を想定する。このとき、シャッター１５４の位置は、初期位置である。図９は、図５と比較して、前枠１０１が開放されたことにより、制限部材１６８の位置と第２補給通路１６０とが前枠１０１とともに移動している点を除き、図５の構成と同様である。そのため、その詳細な説明は行わない。
【０１０９】
前枠１０１を閉じる動作が行われるときに、突起部１６４が流出制限機構１５１の本体部材１５１ａに接触して、本体部材１５１ａからの反力のうちの下方向の成分の力が作用すると、突起部１６４が押し下げられる。
【０１１０】
突起部１６４の直上を本体部材１５１ａの底面が通過している間、突起部１６４は押し下げられた状態が継続される。突起部１６４の直上に本体部材１５１ａの貫通穴１５１ｄの開口部分とシャッター１５４の貫通穴１５４ｂの開口部分との重複部分（図６に示すような状態の重複部分）が通過する場合には、突起部１６４の上端部が当該重複部分の下に位置することになるので、ばね部材１６５の弾性力によって突起部１６４が押し上げられる。そのため、突起部１６４の先端が当該重複部分に挿入される。そして、ばね部材１６５の弾性力によって突起部１６４の上方向に作用する力より、当該重複部分の面積が拡大するようにシャッター１５４が移動する。シャッター１５４が移動した結果、本体部材１５１ａの貫通穴１５１ｃの開口部分とシャッター１５４の貫通穴１５４ａの開口部分との重複部分の開口面積が最大となる。そのため、流出制限機構１５１による外部への遊技球の流出の制限が解除された状態になる。
【０１１１】
一方、図５に示す状態から図９に示す状態のように前枠１０１が開放される場合を想定する。このとき、シャッター１５４の位置は、初期位置から最も離れた位置となる。前枠１０１が開放する動作が行われるときに、突起部１６４が本体部材１５１ａの貫通穴１５１ｄあるいはシャッター１５４の貫通穴１５４ｂの縁部分から受ける反力のうちの下方向の成分の力が作用すると、突起部１６４が押し下げられる。
【０１１２】
突起部１６４の直上を本体部材１５１ａの底面が通過している間、突起部１６４は押し下げられた状態が継続される。突起部１６４の直上を本体部材１５１ａの底面が通過した後においては、ばね部材１６５の弾性力によって突起部１６４が押し上げられる。
【０１１３】
一方、本体部材１５１ａの貫通穴１５１ｄの開口部分とシャッター１５４の貫通穴１５４ｂの開口部分との重複部分から突起部１６４が抜けたことによって、ばね部材１５５の弾性力のみがシャッター１５４に作用することとなる。その結果、ばね部材１５５の弾性力がシャッター１５４に対して図９の矢印の方向に作用して、シャッター１５４は、初期位置に移動する。シャッター１５４が移動した結果、本体部材１５１ａの貫通穴１５１ｃの開口部分とシャッター１５４の貫通穴１５４ａの開口部分との重複部分の開口面積が最小となる。そのため、シャッター１５４によって接続部１５０内の遊技球が流出制限機構１５１から外部に流出することが制限される。
【０１１４】
次に、前述した実施の形態により得られる主な効果を説明する。
（１）  遊技球を供給する第１補給通路１４０から接続部１５０、流出制限機構１５１および第２補給通路１６０を経由した球払出装置１７０までの間の補給経路上に遊技球を貯留するタンクが設けられないため、タンクによってパチンコ遊技機１の背面に設けられる部品の配置およびサイズの自由度が妨げられることがない。そのため、遊技機の背面に設けられる部品の配置およびサイズの自由度を向上させることができる。特にタンクが設けられないことによりその他の部品の搭載スペース１８０をより広く確保することができるため、たとえば、変動表示装置９を構成する液晶表示装置を大型化することができる。
【０１１５】
（２）  パチンコ遊技機１の前枠１０１を外枠１０１に対して開放したときに第２補給通路１６０と接続部１５０とが分離するので、第１補給通路１４０から球払出装置１７０までの間の遊技球の補給経路上に設けられる通路の破損を防止することができる。
【０１１６】
（３）  接続部１５０に流出制限機構１５１が設けられるので、パチンコ遊技機１の前枠１０１を外枠１００に対して開放したときに第２補給通路１６０と接続部１５０とが分離しても、接続部１５０からの遊技球の流出を制限することができる。そのため、遊技球が散らばることを防止することができる。
【０１１７】
（４）  接続部１５０には、前枠１０１の開放軸１３０から離れる方向に向けて開口する開口部１５０ｂが形成されるので、前枠１０１を開放した状態でも前枠１０１に阻害されることなく、第１補給通路１４０の一方端を開口部１５０ｂに組み付けることができる。そのため、開口部１５０ｂへの第１補給通路１４０の一方端の組み付けが容易になる。
【０１１８】
次に、以上に説明した実施の形態の変形例や特徴点等を以下に列挙する。
（１）  前述の実施の形態では、パチンコ遊技機１の下側に設けられる発射装置から遊技盤６に遊技球を発射するものを前提の構成として説明したが、たとえば、パチンコ遊技機１の上側に設けられる発射装置から遊技盤６に遊技球を発射するものを前提の構成としてもよい。
【０１１９】
（２）  前述の実施の形態では、第２補給通路１６０の凹部１６０ｃと、突起部１６４の凹部１６４ａとの間にばね部材１６５を設けるものとして説明したが、ばね部材１６５に代えてゴム部材等の弾性部材を用いてもよい。
【０１２０】
（３）  前述の実施の形態では、第２補給通路１６０と、突起部１６４とが別部材であるとして説明したが、たとえば、第２補給通路１６０と突起部１６４とが一体的に形成されるものであってもよい。この場合において、流出制限機構１５１の本体部材１５１ａの底面が少なくとも突起部１６４の先端まで上方向の移動が許容されるように固定ブラケット１５０ｃに撓む部分が形成されることが望ましい。
【０１２１】
（４）  前述の実施の形態では、先端が三角錐形状の突起部１６４を用いて流出制限機構１５１のシャッター１５４を開くものとして説明したが、たとえば、突起部１６４を円柱形状とし、シャッター１５４には、図１０に示すように、貫通穴１５４ｂに代えて切り欠き部１５４ｃが設けられるものとしてもよい。
【０１２２】
切り欠き部１５４ｃにおいては、図１０に示すように、たとえば、前枠１０１が閉じる場合における突起部１６４の移動方向に対して所定の角度を有する直線に沿った側面部分が形成される。このような構成にすると、前枠１０１が閉じる場合に、シャッター１５４は、突起部１６４から作用する図１０の矢印の方向の成分の力によって図１０の実線の位置から図１０の破線の位置まで移動させることができる。これにより、シャッター１５４の貫通穴１５４ａの開口部分と本体部材１５１ａの貫通穴１５１ｃの開口部分との重複部分の開口面積を拡大させることができる。
【０１２３】
（５）  前述の実施の形態では、シャッター１５４を有する流出制限機構１５１を設けるものとして説明したが、流出制限機構１５１を設けない構成としてもよい。
【０１２４】
（６）  前述の実施の形態では、流出制限機構１５１に設けられるシャッター１５４は、突起部１６４とばね部材１５５とを用いて開閉するものとして説明したが、たとえば、手動でシャッター１５４を開閉するものであってもよい。
【０１２５】
（７）  前述の実施の形態では、流出制限機構１５１は、接続部１５０と別部品であるものとして説明したが、たとえば、接続部１５０の端部に一体的に組み込まれたものであってもよい。
【０１２６】
（８）  前述の実施の形態では、接続部１５０は、パイプ形状であるとして説明したが、たとえば、蛇腹形状等のある程度の変形を許容する形状であるとしてもよい。
【０１２７】
（９）  前述の実施の形態では、接続部１５０は、外枠１００の上部１００ａの左右方向の中央付近に設けられるものとして説明したが、たとえば、左右のどちらかに偏在してもよい。
【０１２８】
（１０）  前述の実施の形態では、接続部１５０は、左右方向について経路が短い形状を有するものとして説明したが、たとえば、外枠１００の左右方向の端部まで延在する形状を有するものとしてもよい。
【０１２９】
（１１）  前述の実施の形態では、外枠１００は、木材により構成されるものとして説明したが、たとえば、金属製であってもよい。また、この場合、外枠１００と接続１５０とが一体的に形成されてもよい。
【０１３０】
（１２）  上記（１）〜（１１）で開示した変形例は、その全部または一部を組み合わせて実施してもよい。
【０１３１】
（１３）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０１３２】
１  パチンコ遊技機、６  遊技盤、１００  外枠、１０１  前枠、１４０  第１補給通路、１５０  接続部、１５０ｂ  開口部、１５１  流出制限機構、１６０  第２補給通路、１７０  球払出装置。
【図１】
2014171504.tif 000003
【図２】
2014171504.tif 000004
【図３】
2014171504.tif 000005
【図４】
2014171504.tif 000006
【図５】
2014171504.tif 000007
【図６】
2014171504.tif 000008
【図７】
2014171504.tif 000009
【図８】
2014171504.tif 000010
【図９】
2014171504.tif 000011
【図１０】
2014171504.tif 000012